(57)【要約】【課題】切替え後の設定画面の表示内容をユーザに認識させやすいように設定画面の切替えを行なうことができる画像処理装置、画像処理装置の制御プログラムおよび画像処理装置の制御方法を提供する。【解決手段】画像処理装置のディスプレイにおいて表示される画面が切り替えられる場合、その切替は、段階的に行なわれる。つまり、変更後の画面が、矢印Ａ１方向に、変更前の画面の上をスライドしてくるように、画面の切り替えが行なわれる。【選択図】図６
2012068785.tif 000002
【特許請求の範囲】
【請求項１】
複数の機能を実現可能である画像処理装置であって、
表示手段と、
前記複数の機能に関する設定内容を入力するための第１のウィンドウを前記表示手段に表示させる第１の表示制御手段と、
前記第１のウィンドウが表示された状態から、前記複数の機能に関する設定内容を入力するための第２のウィンドウの少なくとも一部を、段階的に、前記第１のウィンドウに重ねて表示させる第２の表示制御手段とを備える、画像処理装置。
【請求項２】
前記第２の表示制御手段は、前記第２のウィンドウの種類に応じて、前記第２のウィンドウを段階的に前記第１のウィンドウに重ねて表示させる態様を変更する、請求項１に記載の画像処理装置。
【請求項３】
前記画像処理装置は、前記複数の機能に関する設定内容を受け付ける異なる複数の入力モードを備え、
前記第１のウィンドウは、前記複数の入力モードのうち第１の入力モードに対応するウィンドウであり、
前記第２のウィンドウは、前記複数の入力モードのうちの、前記第１の入力モードとは異なる第２の入力モードに対応するウィンドウである、請求項１または請求項２に記載の画像処理装置。
【請求項４】
前記第１の入力モードおよび前記第２の入力モードの一方は、前記機能の選択を受け付ける入力モードであり、
前記第１の入力モードおよび前記第２の入力モードの他方は、複数の前記機能に対応する設定内容を入力するための設定内容キーに対する選択を受け付ける入力モードである、請求項３に記載の画像処理装置。
【請求項５】
前記第２のウィンドウを段階的に前記第１のウィンドウに重ねて表示させる態様は、前記第２のウィンドウがスライドすることにより、前記第１のウィンドウを段階的に覆う態様を含む、請求項１〜請求項４のいずれかに記載の画像処理装置。
【請求項６】
前記第１のウィンドウは、前記機能に対応する機能キーを含み、
前記第２のウィンドウは、前記第１のウィンドウにおいて前記機能キーが選択されたことを受けて、当該選択された機能キーに対応する設定内容を入力するための設定内容キーを有するウィンドウを含む、請求項１〜請求項５のいずれかに記載の画像処理装置。
【請求項７】
前記第１のウィンドウと前記第２のウィンドウは、共通する画像領域を有し、
前記第２の表示制御手段は、前記第１のウィンドウの前記共通する画像領域以外の領域に、前記第２のウィンドウを重ねる、請求項１〜請求項６のいずれかに記載の画像処理装置。
【請求項８】
表示手段を備え、複数の機能を実現可能である画像処理装置の制御プログラムであって、
前記画像処理装置を、
前記複数の機能に関する設定内容を入力するための第１のウィンドウを前記表示手段に表示させる第１の表示制御手段、および、
前記第１のウィンドウが表示された状態から、前記複数の機能に関する設定内容を入力するための第２のウィンドウの少なくとも一部を、段階的に、前記第１のウィンドウに重ねて表示させる第２の表示制御手段として機能させる、画像処理装置の制御プログラム。
【請求項９】
前記第２の表示制御手段は、前記第２のウィンドウの種類に応じて、前記第２のウィンドウを段階的に前記第１のウィンドウに重ねて表示させる態様を変更する、請求項８に記載の画像処理装置の制御プログラム。
【請求項１０】
前記画像処理装置は、前記複数の機能に関する設定内容を受け付ける異なる複数の入力モードを備え、
前記第１のウィンドウは、前記複数の入力モードのうち第１の入力モードに対応するウィンドウであり、
前記第２のウィンドウは、前記複数の入力モードのうちの、前記第１の入力モードとは異なる第２の入力モードに対応するウィンドウである、請求項８または請求項９に記載の画像処理装置の制御プログラム。
【請求項１１】
前記第１の入力モードおよび前記第２の入力モードの一方は、前記機能の選択を受け付ける入力モードであり、
前記第１の入力モードおよび前記第２の入力モードの他方は、複数の前記機能に対応する設定内容を入力するための設定内容キーに対する選択を受け付ける入力モードである、請求項１０に記載の画像処理装置の制御プログラム。
【請求項１２】
前記第２のウィンドウを段階的に前記第１のウィンドウに重ねて表示させる態様は、前記第２のウィンドウがスライドすることにより、前記第１のウィンドウを段階的に覆う態様を含む、請求項８〜請求項１１のいずれかに記載の画像処理装置の制御プログラム。
【請求項１３】
前記第１のウィンドウは、前記機能に対応する機能キーを含み、
前記第２のウィンドウは、前記第１のウィンドウにおいて前記機能キーが選択されたことを受けて、当該選択された機能キーに対応する設定内容を入力するための設定内容キーを有するウィンドウを含む、請求項８〜請求項１２のいずれかに記載の画像処理装置の制御プログラム。
【請求項１４】
前記第１のウィンドウと前記第２のウィンドウは、共通する画像領域を有し、
前記第２の表示制御手段は、前記第１のウィンドウの前記共通する画像領域以外の領域に、前記第２のウィンドウを重ねる、請求項８〜請求項１３のいずれかに記載の画像処理装置の制御プログラム。
【請求項１５】
表示手段を備え、複数の機能を実現可能である画像処理装置の制御方法であって、
前記画像処理装置に、
前記複数の機能に関する設定内容を入力するための第１のウィンドウを前記表示手段に表示させるステップと、
前記第１のウィンドウが表示された状態から、前記複数の機能に関する設定内容を入力するための第２のウィンドウの少なくとも一部を、段階的に、前記第１のウィンドウに重ねて表示させる、重畳ステップとを実行させる、画像処理装置の制御方法。
【請求項１６】
前記重畳ステップは、前記第２のウィンドウの種類に応じて、当該段階的に重ねて表示させる態様を変更する、請求項１５に記載の画像処理装置の制御方法。
【請求項１７】
前記画像処理装置は、前記複数の機能に関する設定内容を受け付ける異なる複数の入力モードを備え、
前記第１のウィンドウは、前記複数の入力モードのうち第１の入力モードに対応するウィンドウであり、
前記第２のウィンドウは、前記複数の入力モードのうちの、前記第１の入力モードとは異なる第２の入力モードに対応するウィンドウである、請求項１５または請求項１６に記載の画像処理装置の制御方法。
【請求項１８】
前記第１の入力モードおよび前記第２の入力モードの一方は、前記機能の選択を受け付ける入力モードであり、
前記第１の入力モードおよび前記第２の入力モードの他方は、複数の前記機能に対応する設定内容を入力するための設定内容キーに対する選択を受け付ける入力モードである、請求項１７に記載の画像処理装置の制御方法。
【請求項１９】
前記第２のウィンドウを段階的に前記第１のウィンドウに重ねて表示させる態様は、前記第２のウィンドウがスライドすることにより、前記第１のウィンドウを段階的に覆う態様を含む、請求項１５〜請求項１８のいずれかに記載の画像処理装置の制御方法。
【請求項２０】
前記第１のウィンドウは、前記機能に対応する機能キーを含み、
前記第２のウィンドウは、前記第１のウィンドウにおいて前記機能キーが選択されたことを受けて、当該選択された機能キーに対応する設定内容を入力するための設定内容キーを有するウィンドウを含む、請求項１５〜請求項１９のいずれかに記載の画像処理装置の制御方法。
【請求項２１】
前記第１のウィンドウと前記第２のウィンドウは、共通する画像領域を有し、
前記重畳ステップは、前記第１のウィンドウの前記共通する画像領域以外の領域に、前記第２のウィンドウを重ねる、請求項１５〜請求項２０のいずれかに記載の画像処理装置の制御方法。
【発明の詳細な説明】
【技術分野】
【０００１】
本発明は、画像処理装置、その制御プログラムおよびその制御方法に関し、特に、表示装置において、複数の画面を切り替えて表示させる画像処理装置、その制御プログラムおよびその制御方法に関する。
【背景技術】
【０００２】
近年、デジタル複写機やＭＦＰ（Multi Function Peripheral）などの画像処理装置において、多機能化が進むことに伴い、当該装置に対して多くの設定内容を入力できるようになっている。そして、このような画像処理装置において複数の設定画面を表示する技術に関し、種々開示がなされている。
【０００３】
たとえば、特許文献１（特開２００５−２１６３００号公報）には、画像形成装置において、別々に表示された複数のポップアップ画面に対して同時期に操作ができるようにされる技術が開示されている。これにより、画像形成装置において、操作性の向上が図られている。
【先行技術文献】
【特許文献】
【０００４】
【特許文献１】特開２００５−２１６３００号公報
【発明の概要】
【発明が解決しようとする課題】
【０００５】
なお、従来の画像処理装置の中には、より多くのキーを表示させる等のため、複数の設定画面にわたってキーを表示させ、当該複数の設定画面の間で表示を入れ替えるものもある。
【０００６】
このような画像処理装置において、設定画面の表示は、その全体が一瞬で切り替わるように、入れ替えられていた。表示装置における表示内容が切り替わると、ユーザに、急激に表示装置の表示内容が変化したという印象を与えていた。また、画像処理装置において、１つの画面に表示させていたキーの一部をポップアップ画面などで別に表示させる場合には、特に上記のように一瞬で表示が切り替わると、全く別のキーが表示されたような印象をユーザに与える場合があった。つまり、従来の画像処理装置では、設定画面の表示の切替えが、切替え後の設定画面の内容をユーザに認識させやすい状態でなされておらず、これにより、表示の切り替えによってユーザに、驚きや不安を与える場合があった。
【０００７】
本発明は、かかる実情に鑑み考え出されたものであり、その目的は、切替え後の設定画面の表示内容をユーザに認識させやすいように設定画面の切替えを行なうことができる画像処理装置、その制御プログラムおよびその制御方法を提供することである。
【課題を解決するための手段】
【０００８】
本発明に従った画像処理装置は、複数の機能を実現可能である画像処理装置であって、表示手段と、複数の機能に関する設定内容を入力するための第１のウィンドウを表示手段に表示させる第１の表示制御手段と、第１のウィンドウが表示された状態から、複数の機能に関する設定内容を入力するための第２のウィンドウの少なくとも一部を、段階的に、第１のウィンドウに重ねて表示させる第２の表示制御手段とを備える。
【０００９】
また、本発明の画像処理装置では、第２の表示制御手段は、第２のウィンドウの種類に応じて、第２のウィンドウを段階的に第１のウィンドウに重ねて表示させる態様を変更することが好ましい。
【００１０】
また、本発明の画像処理装置は、複数の機能に関する設定内容を受け付ける異なる複数の入力モードを備え、第１のウィンドウは、複数の入力モードのうち第１の入力モードに対応するウィンドウであり、第２のウィンドウは、複数の入力モードのうちの、第１の入力モードとは異なる第２の入力モードに対応するウィンドウであることが好ましい。
【００１１】
また、本発明の画像処理装置では、第１の入力モードおよび第２の入力モードの一方は、機能の選択を受け付ける入力モードであり、第１の入力モードおよび第２の入力モードの他方は、複数の機能に対応する設定内容を入力するための設定内容キーに対する選択を受け付ける入力モードであることが好ましい。
【００１２】
また、本発明の画像処理装置では、第２のウィンドウを段階的に第１のウィンドウに重ねて表示させる態様は、第２のウィンドウがスライドすることにより、第１のウィンドウを段階的に覆う態様を含むことが好ましい。
【００１３】
また、本発明の画像処理装置では、第１のウィンドウは、機能に対応する機能キーを含み、第２のウィンドウは、第１のウィンドウにおいて機能キーが選択されたことを受けて、当該選択された機能キーに対応する設定内容を入力するための設定内容キーを有するウィンドウを含むことが好ましい。
【００１４】
また、本発明の画像処理装置では、第１のウィンドウと第２のウィンドウは、共通する画像領域を有し、第２の表示制御手段は、第１のウィンドウの共通する画像領域以外の領域に、第２のウィンドウを重ねることが好ましい。
【００１５】
本発明に従ったの画像処理装置の制御プログラムは、表示手段を備え、複数の機能を実現可能である画像処理装置の制御プログラムであって、画像処理装置を、複数の機能に関する設定内容を入力するための第１のウィンドウを表示手段に表示させる第１の表示制御手段、および、第１のウィンドウが表示された状態から、複数の機能に関する設定内容を入力するための第２のウィンドウの少なくとも一部を、段階的に、第１のウィンドウに重ねて表示させる第２の表示制御手段として機能させる。
【００１６】
また、本発明の画像処理装置の制御プログラムでは、第２の表示制御手段は、第２のウィンドウの種類に応じて、第２のウィンドウを段階的に第１のウィンドウに重ねて表示させる態様を変更することが好ましい。
【００１７】
また、本発明の制御プログラムが実行される画像処理装置は、複数の機能に関する設定内容を受け付ける異なる複数の入力モードを備え、そして、当該制御プログラムでは、第１のウィンドウは、複数の入力モードのうち第１の入力モードに対応するウィンドウであり、第２のウィンドウは、複数の入力モードのうちの、第１の入力モードとは異なる第２の入力モードに対応するウィンドウであることが好ましい。
【００１８】
また、本発明の画像処理装置の制御プログラムでは、第１の入力モードおよび第２の入力モードの一方は、機能の選択を受け付ける入力モードであり、第１の入力モードおよび第２の入力モードの他方は、複数の機能に対応する設定内容を入力するための設定内容キーに対する選択を受け付ける入力モードであることが好ましい。
【００１９】
また、本発明の画像処理装置の制御プログラムでは、第２のウィンドウを段階的に第１のウィンドウに重ねて表示させる態様は、第２のウィンドウがスライドすることにより、第１のウィンドウを段階的に覆う態様を含むことが好ましい。
【００２０】
また、本発明の画像処理装置の制御プログラムでは、第１のウィンドウは、機能に対応する機能キーを含み、第２のウィンドウは、第１のウィンドウにおいて機能キーが選択されたことを受けて、当該選択された機能キーに対応する設定内容を入力するための設定内容キーを有するウィンドウを含むことが好ましい。
【００２１】
また、画像処理装置の制御プログラムでは、第１のウィンドウと第２のウィンドウは、共通する画像領域を有し、第２の表示制御手段は、第１のウィンドウの共通する画像領域以外の領域に、第２のウィンドウを重ねることが好ましい。
【００２２】
本発明に従った画像処理装置の制御方法は、表示手段を備え、複数の機能を実現可能である画像処理装置の制御方法であって、画像処理装置に、複数の機能に関する設定内容を入力するための第１のウィンドウを表示手段に表示させるステップと、第１のウィンドウが表示された状態から、複数の機能に関する設定内容を入力するための第２のウィンドウの少なくとも一部を、段階的に、第１のウィンドウに重ねて表示させる、重畳ステップとを実行させる。
【００２３】
また、本発明の画像処理装置の制御方法では、重畳ステップは、第２のウィンドウの種類に応じて、当該段階的に重ねて表示させる態様を変更することが好ましい。
【００２４】
また、本発明の制御方法が実行される画像処理装置は、複数の機能に関する設定内容を受け付ける異なる複数の入力モードを備え、そして、当該制御方法では、第１のウィンドウは、複数の入力モードのうち第１の入力モードに対応するウィンドウであり、第２のウィンドウは、複数の入力モードのうちの、第１の入力モードとは異なる第２の入力モードに対応するウィンドウであることが好ましい。
【００２５】
また、本発明の画像処理装置の制御方法では、第１の入力モードおよび第２の入力モードの一方は、機能の選択を受け付ける入力モードであり、第１の入力モードおよび第２の入力モードの他方は、複数の機能に対応する設定内容を入力するための設定内容キーに対する選択を受け付ける入力モードであることが好ましい。
【００２６】
また、本発明の画像処理装置の制御方法では、第２のウィンドウを段階的に第１のウィンドウに重ねて表示させる態様は、第２のウィンドウがスライドすることにより、第１のウィンドウを段階的に覆う態様を含むことが好ましい。
【００２７】
また、画像処理装置の制御方法では、第１のウィンドウは、機能に対応する機能キーを含み、第２のウィンドウは、第１のウィンドウにおいて機能キーが選択されたことを受けて、当該選択された機能キーに対応する設定内容を入力するための設定内容キーを有するウィンドウを含むことが好ましい。
【００２８】
また、本発明の画像処理装置の制御方法では、第１のウィンドウと第２のウィンドウは、共通する画像領域を有し、重畳ステップは、第１のウィンドウの共通する画像領域以外の領域に、第２のウィンドウを重ねることが好ましい。
【発明の効果】
【００２９】
上記構成によれば、画像処理装置の表示手段に表示されるウィンドウが切替られる場合、切替前の画面から切替後の画面に向けて、段階的に表示が切り替えられる。これにより、切替え後の設定画面の表示内容をユーザに認識させやすいように設定画面の切替えを行なうことができる。
【図面の簡単な説明】
【００３０】
【図１】本発明の画像処理装置の一実施の形態であるＭＦＰの外観を図である。
【図２】図１のＭＦＰのブロック図である。
【図３】基本画面の一例を示す図である。
【図４】ポップアップ画面の一例を示す図である。
【図５】一括設定画面の一例を示す図である。
【図６】図１のＭＦＰのディスプレイに表示される画面の切り替えを説明するための図である。
【図７】図１のＭＦＰのディスプレイに表示される画面の切り替えを説明するための図である。
【図８】図１のＭＦＰのディスプレイに表示される画面の切り替えを説明するための図である。
【図９】図１のＭＦＰのディスプレイに表示される画面の一例を示す図である。
【図１０】図１のＭＦＰのディスプレイに表示される画面の一例を示す図である。
【図１１】図１のＭＦＰにおいてディスプレイに表示される画面が切り替えられる際の処理のフローチャートである。
【図１２】図１の画面において、アイコンが選択された場合に、ディスプレイに表示される画面の一例を示す図である。
【図１３】図１のＭＦＰのディスプレイに表示される画面の一例を示す図である。
【図１４】図１のＭＦＰのディスプレイに表示される画面の一例を示す図である。
【図１５】図１のＭＦＰのディスプレイに表示される画面の一例を示す図である。
【図１６】図１のＭＦＰのディスプレイに表示される画面の一例を示す図である。
【図１７】図１のＭＦＰのディスプレイに表示される画面の一例を示す図である。
【発明を実施するための形態】
【００３１】
以下、本発明に係る画像処理装置の実施の形態について、図面を参照しつつ詳細に説明する。なお、各図において、同じ機能を奏する要素については、同一の参照符号を付し、その説明は繰返さない。
【００３２】
図１は、本発明の一実施の形態であるＭＦＰ１の外観を示す図である。
図１を参照して、ＭＦＰ１は、各種の処理に対する操作指示や文字・数字の入力を受付ける複数のハードキー１５を備える。
【００３３】
また、ＭＦＰ１は、操作画面や画像処理の対象となる画像に関する情報等を表示するディスプレイ１００を備える。ディスプレイ１００には、タッチセンサ２００が重ねられており、ディスプレイ１００とタッチセンサ２００とでタッチパネル２０１が構成されている。ＭＦＰ１は、ディスプレイ１００に設定キー等を含む操作画面を表示する。また、ＭＦＰ１は、設定キーの表示領域に対するタッチセンサ２００への接触操作を検知することにより、ユーザから設定の入力を受付ける。さらに、ＭＦＰ１は、ハードキー１５に対する操作を検知することにより、ユーザから設定の入力を受付ける。
【００３４】
ＭＦＰ１は、スキャナ部１３とプリンタ部１４を備える。スキャナ部１３は、原稿を光電的に読取って画像データを得る。プリンタ部１４は、スキャナ部１３により取得された画像データや、ネットワークを介して接続された外部機器（ＰＣ等）から受信した画像データに基づき用紙上に画像を印刷する。
【００３５】
また、ＭＦＰ１は、その本体上面に、原稿をスキャナ部１３に送るフィーダ部１７を備え、本体下部には、プリンタ部１４に用紙を供給する給紙部１８を備え、また、その中央部には、プリンタ部１４によって画像を印刷された用紙が排出されるトレイ１９を備える。
【００３６】
図２は、ＭＦＰ１のブロック図である。
図２を参照して、ＭＦＰ１は、当該ＭＦＰ１の動作を全体的に制御するＣＰＵ（Central Processing Unit）１０と、ＣＰＵ１０のワークエリアとなるＲＡＭ（Random Access Memory）１１と、ＭＦＰの初期設定等のデータを記憶するＮＶ（Non Volatile）−ＲＡＭ１２とを含む。
【００３７】
ＭＦＰ１は、さらに、ＨＤＤ（Hard Disc Drive）２０を含む。ＨＤＤ２０は、ＭＦＰ１の機能についての設定内容を記憶する設定内容記憶部２１と、ディスプレイ１００に表示される画面を切り替える際の切替えのパターンを記憶する切替パターン記憶部２３と、ＣＰＵ１０が実行するプログラムを記憶するプログラム記憶部２５と、種々のデータを記憶するデータ記憶部２７とを含む。
【００３８】
ＣＰＵ１０は、その機能として、ディスプレイ１００に表示させる画面の内容を制御する第１表示制御部１０Ａと、ディスプレイ１００に表示させる画面の切替態様を制御する第２表示制御部１０Ｂとを含む。第１表示制御部１０Ａと第２表示制御部１０Ｂは、たとえばＣＰＵ１０が、プログラム記憶部２５に記憶されるプログラムを実行することによって実現される。なお、これらは、ＭＦＰ１に専用に搭載されたＬＳＩ（Large Scale Integration）等のハードウェアによって実現されても良い。
【００３９】
設定内容記憶部２１では、ＭＦＰ１が実現する機能ごとに、その時点で設定（選択）されている当該機能の設定内容が記憶されている。設定内容記憶部２１の記憶内容の一例を表１に模式的に示す。
【００４０】
【表１】
2012068785.tif 000003
【００４１】
表１では、説明を容易にするために、ＭＦＰ１の複数の機能のそれぞれの名称が、Ａ，Ｂ，Ｃ，Ｄ…のようにアルファベットで示されている。また、表１では、説明を容易にするために、各機能についてその時点で設定されている設定内容が、Ａ−１、Ｂ−１、Ｃ−４、Ｄ−２、…のように、機能名に数字が付された態様で示されている。
【００４２】
ここでいう機能とは、たとえば、スキャナ部１３によって実現される画像読取機能、プリンタ部１４によって実現される画像形成機能、用紙上に形成されるカラーに関する調整を行なう機能（カラー調整機能）、用紙に形成する画像の下地調整を行なう機能、および、ネガポジ反転を行なう機能がある。
【００４３】
また、設定内容としては、画像読取機能についての画像の読取解像度（３００ｄｐｉ（dot per inch），６００ｄｐｉ、等）、画像形成機能についての解像度、カラー調整機能についてのカラーに関する内容（フルカラー印刷、単色カラー印刷、等）、下地調整を行なう機能については画像形成の際に当該機能を利用するか否かを特定する内容（下地調整ＯＮ／ＯＦＦ）、ネガポジ反転を行なう機能については当該機能を画像形成の際に利用するか否かを特定する内容（ネガポジ反転ＯＮ／ＯＦＦ）がある。
【００４４】
本実施の形態では、各機能の設定内容は、たとえば、後述するように、ユーザがポップアップウィンドウに表示される設定内容キーを選択することによって、変更することができる。
【００４５】
切替パターン記憶部２３では、ディスプレイ１００において画面が切り替えられる場合の、切替前後の画面の組み合わせに応じた切替態様が記憶されている。切替パターン記憶部２３の記憶内容の一例を表２に模式的に示す。
【００４６】
【表２】
2012068785.tif 000004
【００４７】
表２では、変更前の画面が後述する基本画面であってポップアップウィンドウを含まないものであり、変更後の画面が当該基本画面であってポップアップウィンドウを含むものであれば、切替態様はポップアップウィンドウの段階的な表示（後述する図８）である。また、変更前の画面がポップアップウィンドウを含む基本画面からポップアップウィンドウを含まない基本画面である場合には、切替態様はポップアップウィンドウの段階的な消去である。
【００４８】
また、変更前の画面が（ポップアップウィンドウを含まない）基本画面であり変更後の画面が後述する一括設定画面である場合には、切替態様はスライド（後述する図６）である。また、変更前の画面が一括設定画面であり変更後の画面が（ポップアップウィンドウを含まない）基本画面である場合にも、切替態様はスライドである。
【００４９】
本実施の形態においては、ＣＰＵ１０が実行するプログラムは、プログラム記憶部２５に記憶されているものとするが、ＣＰＵ１０が実行するプログラムは、記録媒体４００に記憶されていても良く、また、後述するＮＩＣ（Network Interface Card）６０を介して外部機器からダウンロードされたものであってもよい。
【００５０】
ＭＦＰ１は、公衆電話回線やＬＡＮ（Local Area Network）等の通信回線を介して外部機器と画像データ等のデータの送受信を行なうＮＩＣ６０を備える。ＮＩＣ６０は、公衆電話回線を介してファクシミリデータの送受信を行なうほか、ＬＡＮやインターネット等のネットワークを介し当該ネットワークに接続された外部機器との間で電子メールシステムやファイル転送システムを利用したデータの送受信を行なう。これにより、ＭＦＰ１は、通常のファクシミリ通信を行なうファクシミリ装置としての機能のみならず、電子メールの送受信端末・ファイル送受信端末としての機能も有する。なお、ＭＦＰ１が行なう通信は、有線でも良いし、無線であっても良い。
【００５１】
ＭＦＰ１は、さらに、プリンタ部１４で画像を形成された用紙に対してステープル等の後処理を行なう後処理部７０と、ＭＦＰ１本体に対して着脱可能な記録媒体４００に対してデータの読み込み／書き込みの処理を行なうメディアドライブ４０と、音声を出力するスピーカ８０とを含む。なお、ハードキー１５、タッチセンサ２００、ディスプレイ１００、スキャナ部１３、プリンタ部１４については、前述した説明のとおりであり、ここでの説明は省略する。
【００５２】
本実施の形態のＭＦＰ１では、ディスプレイ１００に、ＭＦＰ１の機能の設定内容を選択するための画面が表示される。このような画面には、基本画面と一括設定画面とが含まれる。
【００５３】
基本画面は、ＭＦＰ１が、当該ＭＦＰ１に対して、設定内容の選択に先立って、設定内容を選択する機能を選択する入力モード（基本モード）で動作しているときに表示される画面である。
【００５４】
図３は、基本画面の一例を示す図である。図３を参照して、画面１００Ａには、ＭＦＰ１の機能に対応するアイコン１２１〜１２７が表示されている。
【００５５】
アイコン１２１は、スキャナ部１３によって実現される画像読取機能について、読み取った画像に対する画像処理のパラメータを設定内容として選択するためのアイコンである。
【００５６】
アイコン１２２は、プリンタ部１４によって実現される画像形成機能について、用紙上に形成されるカラーに関する内容（フルカラー印刷、単色カラー印刷等）を調整する機能（カラー調整機能）の設定情報を入力するためのアイコンである。
【００５７】
アイコン１２３は、プリンタ部１４による画像形成機能について、印刷濃度を調整する情報を入力するためのアイコンである。
【００５８】
アイコン１２４は、給紙部１８によって実現されるプリンタ部１４への給紙機能について、供給される用紙種類の設定情報を入力するためのアイコンである。
【００５９】
アイコン１２５は、プリンタ部１４による画像形成機能について、原稿の画像サイズに対する用紙上に形成する画像のサイズについての倍率を設定する情報を入力するためのアイコンである。
【００６０】
アイコン１２６は、プリンタ部１４による画像形成機能について、原稿の画像を読み取る面および用紙に画像を形成する面について、片面／両面の情報を入力するためのアイコンである。
【００６１】
アイコン１２７は、後処理部７０によるステープル機能の有無を設定する情報を入力するためのアイコンである。
【００６２】
アイコン１２１〜１２７は、基本画面において機能を選択するための機能キーに対応する。そして、アイコン１２１〜１２７の中には、各アイコンに対応する機能の設定内容としてその時点で設定（選択）されている内容（たとえば、アイコン１２１中の「文字／写真  印刷写真」という文字列）が表示されている。なお、第１表示制御部１０Ａは、設定内容記憶部２１（表１）における各機能の設定内容を参照することにより、アイコン１２１〜１２７の中に表示する設定内容を決定し、図３のように表示させる。
【００６３】
画面１００Ａには、さらに、ディスプレイ１００における表示を一括設定画面に切り替えるための切替キー１０１と、ＭＦＰ１の状態を表示するステータス表示部１０２とを含む。一括設定画面については、詳細な説明は後述する。
【００６４】
画面１００Ａには、また、基本画面においてディスプレイ１００に表示されるアイコンのグループを変更するためのキー１１１〜１１３と、現在表示されているアイコンのグループがキー１１１〜１１３のいずれに対応するグループのアイコンであるかを示すためのポインタ１１０が表示されている。
ＭＦＰ１では、ＭＦＰ１についての複数の機能が、キー１１１〜１１３のそれぞれに対応する３つのグループ（基本機能１グループ、基本機能２グループ、応用機能グループ）に分けられている。ディスプレイ１００では、キー１１１〜１１３のうちの選択されたキーに対応するグループについてのアイコンを表示する画面が、画面１００Ａのような基本画面として表示される。なお、ディスプレイ１００では、キー１１１〜１１３の中の、基本画面にアイコンを表示されるグループに対応するキーを囲む位置に、ポインタ１１０が表示される。
【００６５】
図４は、ポップアップウィンドウを含む画面（ポップアップ画面）の一例を示す図である。
【００６６】
図４を参照して、画面１００Ｂには、図３の画面１００Ａにポップアップウィンドウ１３０が重ねられて表示されている。
【００６７】
ポップアップウィンドウ１３０は、図３のアイコン１２２に対応する機能についての設定内容を表示するものである。ＣＰＵ１０は、図３に示すような基本画面が表示されている状態で、アイコン１２２に対して選択がなされると、ディスプレイ１００の表示を、画面１００Ａ（ポップアップウィンドウを含まない基本画面）から画面１００Ｂ（ポップアップウィンドウを含む基本画面）に切り替える。
【００６８】
ポップアップウィンドウ１３０には、アイコン１２２に対応する機能についての設定内容の候補が、アイコン１３１〜１３５として表示されている。アイコン１３１〜１３５によって、設定内容を入力するための設定内容キーが構成される。なお、当該機能について、設定内容記憶部２１に記憶されている内容（表１の機能Ａに対する「Ａ−１」等）に対応するアイコンは、他のアイコンと異なる態様で表示されている。図４は、カラー調整機能の設定内容として、「オートカラー」が記憶されている状態を示している。そして、図４のポップアップウィンドウ１３０では、「オートカラー」に対応するアイコン１３１が、アイコン１３２〜１３５に対して異なる色で表示されている。
【００６９】
ポップアップウィンドウ１３０には、当該ポップアップウィンドウ１３０の表示を消去するためのキー１３６が表示されている。
【００７０】
画面１００Ａに対してアイコン１２２が選択されてポップアップウィンドウ１３０が表示された場合、当該ポップアップウィンドウ１３０の表示は、ポップアップウィンドウ１３０の表示が開始されてから所定時間（たとえば、５秒）が経過したことを条件として消去されてもよいし、キー１３６が選択されることによって消去されてもよいし、ポップアップウィンドウ１３０内のアイコン１３１〜１３５に対して選択がなされたことにより消去されてもよい。ポップアップウィンドウ１３０の表示が消去されると、ディスプレイ１００における表示は、図３の画面１００Ａに示したものに戻る。
【００７１】
ＭＦＰ１では、画面１００Ａに対して、アイコン１２１〜１２７のいずれかが選択されることにより、当該いずれかのアイコンに対応した機能が選択されることに相当する。そして、選択された機能に対応するポップアップウィンドウを含むポップアップ画面が、図４の画面１００Ｂに示したようにディスプレイ１００に表示される。
【００７２】
そして、表示されたポップアップウィンドウの中のアイコン１３１〜１３５から１のアイコンに対して選択がなされることにより、ＭＦＰ１では、当該アイコンに対応する設定内容を入力する情報が選択される。ＣＰＵ１０は、入力する情報が選択されると、当該情報で、設定内容記憶部２１における記憶内容を更新する。
【００７３】
また、アイコン１３１〜１３５から１のアイコンに対して選択がなされることにより、当該アイコンの表示態様が変更される。図９に、図４のポップアップウィンドウ１３０中のアイコン１３２が選択された場合に、ディスプレイ１００に表示される画面１００Ｋを示す。画面１００Ｋでは、図４の画面１００Ｂにおいて、アイコン１３１が、ポップアップウィンドウ１３０内の他のアイコンと異なる態様で表示されていたのに対し、アイコン１３２が選択されることにより、他のアイコンと異なる態様で表示されるアイコンが、画面１００Ｋではアイコン１３２に変更されている。
【００７４】
ポップアップウィンドウ１３０内のアイコンが選択されることにより設定内容が更新されると、基本画面において表示されるアイコンの表示態様が変更される。たとえば、図９を参照して説明したように、アイコン１２２に対応して表示されたポップアップウィンドウ１３０内のアイコン１３２が選択されることにより、アイコン１２２に対応する機能の設定が変更された場合には、設定内容記憶部２１における当該機能の設定内容が選択された設定内容に更新され、また、基本画面は、たとえば、図１０の画面１００Ｌに示されるように変更される。画面１００Ｌでは、アイコン１２２に、印１２２Ａが付されて表示されている。印１２２Ａは、デフォルトの設定内容から設定内容を変更された機能を示すものである。図１０の画面１００Ｌでは、アイコン１２２において、カラー調整機能の変更後の設定内容として「フルカラー」が示されている。
【００７５】
図３に戻って、画面１００Ａのアイコン１２１やアイコン１２３〜１２７に対して選択がなされた場合にも、ポップアップウィンドウ１３０と同様に、それぞれのアイコンに対応したポップアップが表示される。
【００７６】
一括設定画面は、ＭＦＰ１における複数の機能についての、設定内容の候補を、一括して表示する画面である。ＭＦＰ１は、上記した基本モードとして、ユーザに各機能の設定内容を選択させるための画面として、まず基本画面を表示させて機能を選択させた後、当該選択された機能の設定内容を表示するポップアップウィンドウを含む画面を表示して、設定内容を選択させるモードで動作することもでき、その一方で、複数の機能についての設定内容を一括して表示する一括設定画面を表示させ、当該一括設定画面から直接的に複数の機能についての設定内容を選択させる一括設定モードでも動作することもできる。
【００７７】
図５は、一括設定画面の一例を示す図である。図５の画面１００Ｃでは、領域１４１，１４２，１４３，１４４，１４５が表示されている。領域１４１，１４２，１４３，１４４，１４５は、それぞれ、機能ごとに、設定内容を選択するためのキーを含む。
【００７８】
なお、一括設定画面と基本画面とでは、機能ごとに、同様に、設定内容を設定できる。
領域１４１には、カラーについての設定内容を入力するための複数のアイコンが表示されている。領域１４１内のアイコンは、図３のアイコン１２２に対応する機能についての設定内容を入力するためのアイコンであり、図４に示すポップアップウィンドウ１３０内の各アイコンに対応する。
【００７９】
領域１４２には、用紙サイズについての設定内容を入力するための複数のアイコンが表示されている。領域１４２内のアイコンは、図３のアイコン１２４に対応する機能についての設定内容を入力するためのアイコンである。
【００８０】
領域１４３には、倍率に関する設定内容を入力するための複数のアイコンが表示されている。領域１４３内のアイコンは、図３のアイコン１２５に対応する機能についての設定内容を入力するためのアイコンである。
【００８１】
領域１４４には、片面／両面についての設定内容を入力するための複数のアイコンが表示されている。領域１４４内のアイコンは、図３のアイコン１２６に対応する機能についての設定内容の一部を入力するためのアイコンである。
【００８２】
領域１４５には、ページ集約についての設定内容を入力するための複数のアイコンが表示されている。領域１４１内のアイコンは、図３のアイコン１２６に対応する機能についての設定内容の一部を入力するためのアイコンである。
【００８３】
また、画面１００Ｃには、ディスプレイ１００に表示される画面を基本画面に切り替えるための表示切替キー１０４が表示されている。
【００８４】
領域１４１〜１４５では、各設定項目について設定されている内容（設定内容記憶部２１に記憶されている内容）に対応するアイコンが、同じ領域の他のアイコンとは異なる態様で表示されている。
【００８５】
上記したように、図３の画面１００Ａがディスプレイ１００に表示されている状態で、切替キー１０１が選択されると、ＣＰＵ１０は、ディスプレイ１００に表示される画面を、図５の画面１００Ｃで示したような一括設定画面に切り替える。
【００８６】
なお、ディスプレイ１００に表示される画面を切り替える場合、ＣＰＵ１０は、ディスプレイ１００における表示を、２つの画面の間で段階的に切り替える。つまり、基本画面（ポップアップウィンドウを含まない基本画面）から一括設定画面へとディスプレイ１００に表示される画面が切り替えられる場合、たとえば、切替後の画面が、切替前の画面の上をスライドしながらディスプレイ１００に入り込んでくるような表示が行なわれる。「段階的に切り替えられる」とは、切替前の画面から切替後の画面にディスプレイ１００における表示が切替えられる間に、少なくとも１つの、両画面の間の中間状態がディスプレイ１００に表示されることをいう。画面１００Ａから画面１００Ｃに表示が切り替えられる場合、その中間状態として、ディスプレイ１００には図６の画面１００Ｄが表示される。画面１００Ｄでは、画面１００Ａの上を、画面１００Ｃが、矢印Ａ１方向に沿って徐々に重ねられる途中の状態が示されている。
【００８７】
また、図５の画面１００Ｃの表示切替キー１０４が選択されることにより、ディスプレイ１００における表示は、画面１００Ｃから図３に示す画面１００Ａへと切り替えられる。この切替の場合も、ディスプレイ１００において、２つの画面の間で段階的に表示が切り替えられる。
【００８８】
たとえば、図５に示された状態において、表示切替キー１０４が選択されると、切替後の画面である画面１００Ａにディスプレイ１００の全体の表示が一度に入れ替わるのではなく、図７の矢印Ａ２方向に画面１００Ｃが右側へとスライドしていくことにより、切替後の画面である画面１００Ａの表示の割合が増していき、最終的に、画面１００Ａのみがディスプレイ１００に表示されるような状態をとるように、ディスプレイ１００の表示が切り替えられる。
【００８９】
また、ＭＦＰ１では、基本画面においてポップアップウィンドウが表示される場合でも、ポップアップウィンドウは段階的に表示される。
【００９０】
具体的には、図３の画面１００Ａから図４の画面１００Ｂに表示が切り替えられる際に、ディスプレイ１００の表示は、図８（Ａ）の画面１００Ｘ、図８（Ｂ）の画面１００Ｙ、図８（Ｃ）の画面１００Ｚに示した順に変化する。つまり、アイコン１２２が膨れ上がって生じたような、つまり、ポップアップウィンドウ１３０が、徐々に大きくなっていくような表示によって、画面１００Ａから画面１００Ｂに切り替えられる。
【００９１】
なお、ディスプレイ１００にける表示が画面１００Ｂから画面１００Ａに戻る場合も、図８（Ｃ）、図８（Ｂ）、図８（Ａ）の順に、ポップアップウィンドウ１３０が段階的にしぼんでいくように、表示が切り替えられる。
【００９２】
以上説明した本実施の形態では、ディスプレイ１００において表示される画面が切り替えられる場合、また、ポップアップウィンドウが追加される場合、ディスプレイ１００における表示は段階的に変化する。
【００９３】
なお、その切替の態様は、図６を参照して説明したように、変更後の画面がディスプレイ１００にスライドしてくるように切り替えることもできるし、図８を参照して説明したように変更後の表示される部分（ポップアップウィンドウ１３０）が徐々にその表示領域を広げるように切り替えられてもよい。
【００９４】
また、他の切替例としては、ディスプレイ１００の表示領域を複数のブロックに分け、変更前の画面が表示されるブロックと変更後の画面が表示されるブロックとが混合するような状態（モザイク表示）を経るようなものであってもよい。
【００９５】
また、画面を切り替える態様は、切替後の画面の表示内容や、切替前後の画面の関係に応じて、複数種類の態様の中から選択されてもよい。つまり、画面１００Ａから画面１００Ｂへと表示される画面が切り替えられる場合のように、変更前の画面の一部（アイコン１２２）に関連する詳細な情報（ポップアップウィンドウ１３０）を変更後の画面で表示するような場合には、当該変更前の一部が徐々に広がっていくような態様（図８）で表示が切り替えられ、また、基本モードと一括設定モードの間で入力モードが変更される操作がなされ（切替キー１０１または表示切替キー１０４が選択され）、ディスプレイ１００の画面全体の表示が切り替えられる場合には、図６や図７を参照して説明したように、変更前または変更後の画面がスライドして移動するような態様とすることができる。
【００９６】
つまり、ポップアップウィンドウが表示されるような場合のように、画面の一部分のみに関連したようなウィンドウが新たに表示される場合には、当該一部分に関連したような態様で表示内容が変化する。これにより、ユーザに、新たに表示されるウィンドウが、当該一部分に関連したものであることを容易に認識させることができる。
【００９７】
また、基本モードから一括設定モードへとモードが変更されることにより画面全体の表示を切り替える場合には、スライドして移動する等して、ユーザに、切替後の画面が切替前の画面に対して、異なる入力モードであることを容易に認識させることができる。
【００９８】
なお、スライドのスピードや、ポップアップウィンドウが広がるスピードは、ユーザが変更できるようにされていることが好ましい。また、それらのスピードをユーザごとに設定しておき、ＭＦＰ１を使用するユーザに応じて、ユーザごとに、スピードを切替えるようにしてもよい。
【００９９】
また、画面全体の表示が切替えられている期間中は、ＣＰＵ１０は、タッチセンサ２００に対する操作を受付けないことが好ましい。当該期間中は、画面中に表示されるキーの一が移動するため、ユーザによる誤操作を防止するためである。
【０１００】
以上説明した本実施の形態では、基本モードの画面に一括設定モードへ切替えるキー（図３の画面１００Ａ中の切替キー１０１）と、一括設定モードの画面に基本モードへ切り替えるキー（図５の画面１００Ｃ中の表示切替キー１０４）とを、ディスプレイ１００中の同じ位置（表示領域の上部）に表示している。これにより、ディスプレイ１００の同じ位置を操作することにより両モード間で入力モードを切り替えることができ、ユーザが、容易に入力モードを切り替えることができるようにしている。
【０１０１】
また、複数の入力モードが存在することをユーザに知らしめるために、ＭＦＰ１の起動時等に、デモンストレーションモードとして、ディスプレイ１００に基本画面と一括設定画面を、たとえば交互に、表示させることが好ましい。
【０１０２】
また、ＭＦＰ１では、基本画面および一括設定画面におけるキーの配列を、ユーザが設定することができる。特に、基本画面において、キー１１１〜１１３のそれぞれのグループにどの機能を対応させるかを、ユーザが変更できるように構成されていることが好ましい。各画面におけるキーの配列や、各グループに対応する機能は、たとえばＨＤＤ２０において記憶されている。ユーザは、各機能の設定変更の頻度等に応じて、キー１１１〜１１３に対応する機能を変更することができる。また、ＭＦＰ１では、ディスプレイ１００にデフォルトで表示される画面として、基本画面または一括設定画面のいずれかを設定することができる。
【０１０３】
なお、画面の切り替えの際に、スピーカ８０を介して音声が、効果音として出力されても良い。出力される音声の種類は、切り替えの種類（画面全体の切替えか、または、ポップアップウィンドウの出現や消失か）に応じて変更されても良い。また、効果音の種類は、ユーザが設定できるようにされていることが好ましい。また、それらの効果音の種類をユーザごとに設定しておき、ＭＦＰ１を使用するユーザに応じて、ユーザごとに、効果音の種類を切替えるようにしてもよい。
【０１０４】
図１１は、ＭＦＰ１においてディスプレイ１００における表示画面が切り替えられる際の処理のフローチャートである。
【０１０５】
図１１を参照して、ＭＦＰ１に電源が投入されると、ＣＰＵ１０は、ステップＳ１０で、ＭＦＰ１の各種の設定を初期化し、ステップＳ２０へ処理を進める。
【０１０６】
ステップＳ２０では、ＣＰＵ１０は、ディスプレイ１００に初期画面を表示させて、ステップＳ３０へ処理を進める。初期画面とは、たとえば図３に示したような基本画面とすることができる。
【０１０７】
ステップＳ３０では、ＣＰＵ１０は、タッチセンサ２００に対して入力がなされたか否かを判断し、なされたと判断するとステップＳ４０へ処理を進める。
【０１０８】
ステップＳ４０では、ＣＰＵ１０は、タッチセンサ２００の入力位置に応じて、ディスプレイ１００に表示させる変更後の画面を生成して、ステップＳ５０へ処理を進める。ステップＳ５０では、ディスプレイ１００における変更前の画面および変更後の画面の内容に基づいて、切替パターン記憶部２３に記憶された表示の切替態様（表２）を特定する情報を取得して、ステップＳ６０へ処理を進める。
【０１０９】
ステップＳ６０では、ＣＰＵ１０は、ディスプレイ１００の表示を、ステップＳ４０で生成した変更後の画面に向けて、ステップＳ５０で取得した切替態様に従って切り替えて、ステップＳ３０へ処理を戻す。
【０１１０】
図１２は、基本画面の他の例として、図３に示す画面１００Ａにおいてアイコン１１２が選択された場合にディスプレイ１００に表示される画面の一例を示す図である。図３の画面１００Ａと図１２の画面１００Ｇとは、異なる入力モードに対応する画面への変更ではなく、また、ポップアップ画面への切替でもないため、画面１００Ａから画面１００Ｇへは、直接表示を切替える。つまり、段階的な表示の切替は行なわない。
【０１１１】
図１２を参照して、画面１００Ｇでは、画面１００Ａに対して、アイコン１２１〜１２７の代わりに、アイコン１５１〜１５６が表示されている。アイコン１５１〜１５６は、それぞれ、ＭＦＰ１の機能についての設定情報を入力するためのアイコンであり、アイコン１１２に対応するグループのアイコンである。画面１００Ｇでは、アイコン１５１〜１５６が、アイコン１１２に対応したアイコンであることを示すために、ポインタ１１０が、アイコン１１２を囲うように表示されている。
【０１１２】
また、ＭＦＰ１では、画面１００Ｇに示されるように、基本画面において、原稿と当該原稿に基づいて用紙上に形成される画像との関係を表わすイメージ１０６，１０７が表示されてもよい。
【０１１３】
また、上記した基本モードおよび一括設定モードとは異なる入力モードにおいて表示される画面の例として、本実施の形態のＭＦＰ１では、アイコン１２１〜１２７に示したような、ＭＦＰ１に対して設定内容を入力する機能を選択する複数のアイコンを、複数のタブに分けて、ディスプレイ１００に表示することができる。
【０１１４】
図１３の画面１００Ｈでは、領域１６０に、タブ１６１〜１６４が示されている。なお、画面１００Ｈでは、タブ１６１〜１６４の中のタブ１６１に対応したアイコンが表示されている。
【０１１５】
ＭＦＰ１では、図１２の画面１００Ｇと図１３の画面１００Ｈとの間でも、表示を切り替えることができる。図１２の画面１００Ｇは、ディスプレイ１００に表示される画面を、画面１００Ｈに切り替えるための切替キー１０５を含む。図１３の画面１００Ｈは、ディスプレイ１００に表示される画面を画面１００Ｇに切り替えるためのアイコン１０３を含む。
【０１１６】
そして、画面１００Ｇから画面１００Ｈに、ディスプレイ１００に表示される画面が切り替えられる場合でも、たとえば図６を参照して説明したように、変更後の画面が既に表示されている画面の上をスライドしてくるなど、徐々に（段階的に）表示が切り替えられる。
【０１１７】
なお、ＭＦＰ１では、ディスプレイ１００の表示の切替は、少なくとも一部が段階的に行なわれればよい。切替の前後の画面に共通する部分がある場合には、その部分の表示はスライド等で切り替えられることなく、変更のある部分のみが段階的に切り替えられてもよい。この場合、たとえば、図１４に画面１００Ｊとして示されるように、画面の切替の途中では、変更前の画面１００Ｇの上に、変更後の画面である画面１００Ｈの画像が重ねられ、徐々に矢印Ａ４方向にスライドしながら移動する状態を経る。画面１００Ｇと画面１００Ｈとでは、ステータス表示部１０２が共通している。これにより、図１４の画面１００Ｊでは、ステータス表示部１０２についてはスライドの対象外となっている。また、切替キー１０１および切替キー１０５が存在する領域については、段階的ではなく、一度に、表示が切り替えられている。
【０１１８】
また、ＭＦＰ１のディスプレイ１００には、基本モードおよび一括設定モードとは異なる入力モードにおける表示画面のさらなる他の例として、たとえば図１５〜図１７に示すような種々の処理画面を表示することができる。
【０１１９】
図１５は、ＮＩＣ６０を介してダウンロードされる、ネットワーク上のウェブページを表示する画面１００Ｎを示す。図１５の画面１００Ｎでは、「トピックその１．」等、リンクが張られた文字列が表示されている。当該文字列が選択されると、当該文字列にリンクした画面へと、ディスプレイ１００に表示される画面が切り替えられる。この場合の画面の切替えも、図６を参照して説明したように段階的に行なわれる。
【０１２０】
また、図１６は、ＮＩＣ６０を介してファイル送信を行なうための選択画面である画面１００Ｐを示す。画面１００Ｐでは、送信されるファイルの保存場所を指定するための領域１７１と、送信先を指定するための領域１７２とを含む。図１６の画面１００Ｐでは、領域１７１内に「０１２３４５６７８９」「ＢＯＸ２」等の保存場所を指定するアイコンが表示されている。各アイコンが選択されると、当該アイコンに対応したディレクトリ内のファイルやフォルダを表示する画面へと、ディスプレイ１００に表示される画面が切り替えられる。この場合の画面の切替えも、図６を参照して説明したように段階的に行なわれる。
【０１２１】
また、図１７は、基本画面のさらに他の変形例として、メニュー画面１００Ｑを示す。メニュー画面１００Ｑは、ＭＦＰ１において実行する処理を選択するための画面であり、その領域１８０には、ＭＦＰ１において実行可能な、「コピー」「ファックス／スキャン」等の各処理に対応した複数のアイコンが表示されている。図１７の領域１８０内の各アイコンが選択されると、当該アイコンに対応する処理の設定内容を表示する画面へと、ディスプレイ１００に表示される画面が切り替えられる。この場合の画面の切替えも、図６を参照して説明したように段階的に行なわれる。
【０１２２】
図１５〜図１７に示した処理画面と、基本画面や一括設定画面との間での切替は、図６を参照したようにスライドするように行なわれても良いし、段階的にではあるが基本画面と一括設定画面の間での切替とは異なる態様で、行なわれてもよい。
【０１２３】
切替態様の変形例として、切替パターン記憶部２３の記憶内容の変形例を表３に示す。
【０１２４】
【表３】
2012068785.tif 000005
【０１２５】
表３では、表２に示したパターンに加えて、ポップアップウィンドウを含まない基本画面と処理画面の間の表示の切替のパターン、および、一括設定画面と処理画面の間の表示の切替のパターンが示されている。
【０１２６】
具体的には、ポップアップウィンドウを含まない基本画面から処理画面への切替え、および、処理画面からポップアップウィンドウを含まない基本画面への切替えは、上記したモザイク表示によって行なわれる。
【０１２７】
また、一括設定画面から処理画面への切替え、および、処理画面から一括設定画面への切替えは、切替前の画面が表示されている状態から切替後の画面がフェードインしてくることによって行なわれる。
【０１２８】
つまり、本実施の形態では、表３に示したように、切替前後の画面の種類の組合せに応じて、切替のパターンを異ならせても良い。
【０１２９】
また、本実施の形態では、図３の１００Ａと図１２の画面１００Ｇの間での表示の切替において、スライド等のように段階的に表示が切替えられても良い。
【０１３０】
以上説明した本実施の形態では、基本画面は、機能に対応する機能キー（アイコン１２１〜１２７）を含み、機能の選択を受け付ける第１の入力モード（基本モード）に対応するウィンドウである。また、ポップアップウィンドウは、基本画面において機能キーが選択されたことを受けて、当該選択された機能に対応する設定内容を入力するための設定内容キーを表示するウィンドウである。また、一括設定画面は、複数の機能に対応する設定内容を入力するための設定内容キーを表示するウィンドウであって、当該設定内容キーに対する選択を受け付ける第２の入力モード（一括設定モード）に対応するウィンドウである。つまり、本実施の形態において、ウィンドウとは、ディスプレイ１００の表示領域全域に表示されるもの（画面）も、当該表示領域の一部に表示されるものも含む。
【０１３１】
本発明は、画像処理装置にプログラムを供給することによって達成される場合にも適用できることはいうまでもない。そして、本発明を達成するためのソフトウェアによって表されるプログラムを格納した記録媒体（記録媒体４００）を、システム或いは装置に供給し、そのシステム或いは装置のコンピュータ（又はＣＰＵやＭＰＵ（Micro-Processing Unit））が記録媒体に格納されたプログラムコードを読み出し実行することによっても、本発明の効果を享受することが可能となる。
【０１３２】
この場合、記録媒体から読み出されたプログラムコード自体が前述した実施の形態の機能を実現することになり、そのプログラムコードを記憶した記録媒体は本発明を構成することになる。
【０１３３】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１３４】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１３５】
記録媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３７】
１  ＭＦＰ、１３  スキャナ部、１４  プリンタ部、１５  入力キー、１７  フィーダ部、１８  給紙部、１９  トレイ、２１  設定内容記憶部、２３  切替パターン記憶部、２５  プログラム記憶部、２７  データ記憶部、６０  ＮＩＣ、７０  後処理部、８０  スピーカ、１００  ディスプレイ、１１０  ポインタ、１１１〜１１３  キー、１３０  ポップアップウィンドウ。
【図１】
2012068785.tif 000006
【図２】
2012068785.tif 000007
【図３】
2012068785.tif 000008
【図４】
2012068785.tif 000009
【図５】
2012068785.tif 000010
【図６】
2012068785.tif 000011
【図７】
2012068785.tif 000012
【図８】
2012068785.tif 000013
【図９】
2012068785.tif 000014
【図１０】
2012068785.tif 000015
【図１１】
2012068785.tif 000016
【図１２】
2012068785.tif 000017
【図１３】
2012068785.tif 000018
【図１４】
2012068785.tif 000019
【図１５】
2012068785.tif 000020
【図１６】
2012068785.tif 000021
【図１７】
2012068785.tif 000022